(57)【要約】      （修正有）【課題】照明具が消された暗闇の室内等において、照明具を点灯することなく、リモコンを簡単に探し出し、各種家電機器の遠隔操作を容易に行うことが可能なリモコンの提供であり、消灯された室内からトイレ等に行く際に、柱やベッド等の家具にぶつかってけがすることを防止すると共に、地震発生等の緊急時に早急な避難が可能であり、かつ製作コストが安価なリモコンを提供する。【解決手段】リモコンＲは、ケース１及び当該ケース１の表面１ａに突設された電源スイッチ２、チャンネル切換用の各種操作キー（ボタン）３、ケース１の表面１ａの周縁部に塗布された直線枠４及びケース１の先端部１ｂに装着された照明装置５から構成されている。【選択図】図１
0003148891.tif 000002
【実用新案登録請求の範囲】
【請求項１】
テレビ、ＤＶＤ又は空調機等の各種家電機器用のリモートコントローラ装置において、
リモートコントローラ装置のケース及び当該リモートコントローラ装置における電源スイッチ及び各種操作ボタンに表示手段を設けると共に、
前記リモートコントローラ装置のケース先端部には照明装置を備えている、
ことを特徴とする、リモートコントローラ装置。
【請求項２】
前記表示手段が蓄光材塗料を用いた文字、数字、直線、曲線、破線、図形又は模様、
又は蓄光材顔料を含有する樹脂製操作キー又はボタン、
又は樹脂製テープである、
ことを特徴とする、請求項１記載に記載するリモートコントローラ装置。
【請求項３】
前記照明装置は前記リモートコントローラ装置に内蔵されたアルカリ乾電池又は充電池と、
ケース先端部に装着されたフラッシュライトと、
前記リモートコントローラ装置のケース外面部に設けられた点灯スイッチとからなる、ことを特徴とする、請求項１〜請求項２の何れかに記載するリモートコントローラ装置。
【請求項４】
前記表示手段は前記リモートコントローラ装置のケースにおける裏面部にも形成されている、
ことを特徴とする、請求項１〜請求項３の何れかに記載するリモートコントローラ装置。
【考案の詳細な説明】
【技術分野】
【０００１】
本考案は、例えば家庭におけるテレビ、ＤＶＤ又は空調機等の各種家電機器用のリモートコントローラ装置（以下、リモコンという）に関し、より詳しくは、暗闇の中で照明具を点灯することなくリモコンを簡単に探し出して各種ボタンを操作することができ、かつリモコンのケース先端部には照明装置を備えたリモコンに関する。
【背景技術】
【０００２】
近年、例えば家庭におけるテレビ、ＤＶＤ又は空調機等の各種家電機器の殆どは、遠隔操作を行うためのリモコンを備えている。
【０００３】
このリモコンは乾電池によって動作可能なハンディサイズに作られ、通常、その通信媒体に赤外線が用いられる。そして、各種ボタンの操作のみで、対応する機器の電源ＯＮ／ＯＦＦ、音量調節、モード設定、チャンネル変更、各種機能のセットなどを機器から離れた場所から行えるようになっている。
【０００４】
本考案者の知見によれば、各種家電機器のリモコンは小型軽量に作られているため、使用範囲が１室内であっても置き忘れ又はそのある場所を見つけるのに困難な場合がある。特に、全ての照明具が消灯された夜間の室内等において、家人又は同居人が就寝中であれば、照明具を点灯することはできない。見たい番組の開始時間が迫っているときなどにリモコンが見つからない場合、機器本体側でも操作は可能であるものの、ユーザにとっては極めて不自由さを感じさせるものである。
【０００５】
従来、照明具が消灯された夜間の室内等においてリモコンを操作するためや、リモコンの所在を発見するための技術としては、例えば、特開平６−１６５２６７の「リモートコントローラ装置及びそれを用いたオーディオ・ビジュアル機器」（特許文献１）、実開平５−４６９３の「ＡＶ用リモコン送信機」（特許文献２）等が開示されている。
【０００６】
特許文献１には、リモコン操作面に蛍光塗料を塗布し、あるいは蛍光塗料を加工したシートを貼着する技術が開示されている。しかしながら、蛍光塗料が塗布された各種ボタンに、操作の手指が頻繁に触れると蛍光塗料が表示部から剥がれるということになり、かつ蛍光塗料による初期の発光性能が長期に亘って維持されないという、不具合が起きている。
【０００７】
特許文献２は、外光検出用センサー及びＩＣを有し、外光の明るさに応じ操作ボタン等をＯＮ−ＯＦＦすることができるように構成されている。しかしながら、ＯＮ−ＯＦＦスイッチをＯＦＦにして外出し、家人等が就寝中に帰宅したときなどには、手探りでリモコンを探さなければならない。またセンサーやＩＣを装着しているのでコスト高のリモコンとなっている。
【特許文献１】特開平６−１６５２６７号公報
【特許文献２】実開平５−４６９３号公報
【考案の開示】
【考案が解決しようとする課題】
【０００８】
本考案が解決しようとする第１の課題は、照明具が消された暗闇の室内等において、照明具を点灯することなく、リモコンを簡単に探し出し、各種家電機器の遠隔操作を容易に行うことが可能なリモコンの提供であり、第２の課題は、消灯された室内からトイレ等に行く際に、柱やベッド等の家具にぶつかってけがすることを防止すると共に、地震発生等の緊急時に早急な避難が可能であり、かつ製作コストが安価なリモコンを提供することにある。
【課題を解決するための手段】
【０００９】
本考案者は、上記の従来技術が有する各種問題点に鑑み、鋭意検討を重ねて本考案を完成したものである。
課題を解決するための手段は、本願、実用新案登録請求の範囲の各請求項に記載の考案であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊＊
本願における、実用新案登録請求の範囲、明細書及び要約書等に記載の用語についての解釈上の疑義を解消すべく、以下に本考案の実用新案登録請求の範囲、明細書等に記載する用語の説明を行うこととする。
〈用語の説明〉
○表示手段とは、暗闇の室内等において、リモコンの存在場所、電源スイッチ、操作ボタン、フラッシュライトの点灯スイッチ、文字又は数字等を明示するための手段をいう。
○蓄光材とは、太陽光や蛍光灯等からの光エネルギーを吸収して、蓄えたエネルギーをゆっくりと光として放出する特性を持つ材料をいう。蓄光材はセラミックス等を高温焼成されてなり、蛍光塗料等の夜間顔料と異なり、放射能を放出することもなく化学的に安定し、紫外線等による劣化もなく、環境に優しい物質として注目されている素材であり、光の吸収・発光を繰り返し半永久的に使用が可能である。
○アルカリ乾電池とは、リモコンのケース内に内蔵される１．２〜１．５Ｖの単四形の電池で、リモコンの電源スイッチ、操作ボタン及びフラッシュライトを点灯する。
○充電池とは、リモコンのケース内に内蔵される１．２〜１．５Ｖの単四形の電池で、充電により繰り返し使用可能で、例えば、フラッシュライトの一種であるＬＥＤライト等の電源となる。
○フラッシュライトとは、リモコンケースの先端部に装着される、前面又は足下等を照明するミニライトをいう。光量としては約４０ルーメンスとされる。
・  ＊＊＊＊＊＊＊＊＊＊＊＊＊＊＊＊＊＊＊＊＊＊＊＊＊＊＊＊＊＊＊＊＊＊＊
【００１０】
課題を解決するための手段（第１考案〜第４考案）は、本願、実用新案登録請求の範囲の各請求項に記載の考案であり、具体的には、
第１の考案は、請求項１に記載の考案であり、
第２の考案は、請求項２に記載の考案であり、
第３の考案は、請求項３に記載の考案であり、
第４の考案は、請求項４に記載の考案であり、
その具体的な解決手段は、以下の通りである。      
【００１１】
［第１の考案］
上記の課題を解決するための第１の考案は、
「テレビ、ＤＶＤ又は空調機等の各種家電機器用のリモートコントローラ装置において、
リモートコントローラ装置のケース及び当該リモートコントローラ装置における電源スイッチ及び各種操作ボタンに表示手段を設けると共に、
前記リモートコントローラ装置のケース先端部には照明装置を備えている」
ことを特徴としている。
【００１２】
［第２の考案］
上記の課題を解決するための第２の考案は、
「前記表示手段が蓄光材塗料を用いた文字、数字、直線、曲線、破線、図形又は模様、
又は蓄光材顔料を含有する樹脂製操作キー又はボタン、
又は樹脂製テープである」
ことを特徴としている。
【００１３】
［第３の考案］
上記の課題を解決するための第３の考案は、
「前記照明装置は前記リモートコントローラ装置に内蔵されたアルカリ乾電池又は充電池と、
ケース先端部に装着されたフラッシュライトと、
前記リモートコントローラ装置のケース外面部に設けられた点灯スイッチとからなる」
ことを特徴としている。
【００１４】
［第４の考案］
上記の課題を解決するための第４の考案は、
「前記表示手段は前記リモートコントローラ装置のケースにおける裏面部にも形成されている」
ことを特徴としている。
【考案の効果】
【００１５】
本考案に係るリモートコントローラ装置は、上記の特徴的な構成になるから、以下のような効果を奏する。すなわち、第１の考案によれば、
「テレビ、ＤＶＤ又は空調機等の各種家電機器用のリモートコントローラ装置において、リモートコントローラ装置のケース及び当該リモートコントローラ装置における電源スイッチ及び各種操作ボタンに表示手段を設けると共に、前記リモートコントローラ装置のケース先端部には照明装置を備えている」
という、当業界においては想到することが困難な特徴的な構成により、
照明具が消された暗闇の室内等において、照明具を点灯することなく、リモコンを簡単に探し出し、各種家電機器の遠隔操作を容易に行うことが可能なリモコンの提供という本考案の第１の課題と、消灯された室内からトイレ等に行く際に、柱やベッド等の家具にぶつかってけがすることを防止すると共に、地震発生等の緊急時に早急な避難が可能であり、かつ製作コストが安価なリモコンの提供という第２の課題を解決することができた。
【００１６】
第２の考案によれば、
「前記表示手段が蓄光材塗料を用いた文字、数字、直線、曲線、破線、図形又は模様、
又は蓄光材顔料を含有する樹脂製操作キー又はボタン、
又は樹脂製テープである」
という、当業界においては想到することが困難な特徴的な構成により、
蓄光材は、蛍光塗料等の夜間顔料と異なり、放射能を放出することもなく化学的に安定し、紫外線等による劣化もなく、環境に優しい素材であり、光の吸収・発光を繰り返し半永久的に使用が可能であり、極めて経済的かつ有益であると共に、製作コストが安価なリモコンを提供することができた。
【００１７】
第３の考案によれば、
「前記照明装置は前記リモートコントローラ装置に内蔵されたアルカリ乾電池又は充電池と、ケース先端部に装着されたフラッシュライトと、前記リモートコントローラ装置のケース外面部に設けられた点灯スイッチとからなる」
という、当業界においては想到することが困難な特徴的な構成により、
例えば、高齢者が消灯された室内からトイレ等に行く際に、柱やベッド等の家具にぶつかってけがすることなどを防止すると共に、常にフラッシュライト付きのリモコンを枕元又は身近の置いておくことができるので、地震発生等の緊急時には早急かつ安全避難を可能とする、極めて有益な効果を奏する。
【００１８】
第４の考案によれば、
「前記表示手段は前記リモートコントローラ装置のケースにおける裏面部にも形成されている」
という、当業界においては想到することが困難な特徴的な構成により、
例えば、リモコンが裏返されて置かれた全くの暗闇の中でも直ちに探し出すことができる効果を奏する。
【考案を実施するための最良の形態】
【００１９】
以下、本考案に係る、リモートコントローラ装置（以下、リモコンＲという）に関する最良の実施形態について、図面を参照しながら説明する。図１は、テレビ用のリモコンＲの斜視図、図２は、図１におけるＡ部の拡大正面図、図３は、図１に示すリモコンＲの裏面図である。
【００２０】
図１に示す、本考案に係るリモコンＲは、ケース１及び当該ケース１の表面１ａに突設された電源スイッチ２、チャンネル切換用の各種操作キー（ボタン）３、ケース１の表面１ａの周縁部に塗布された直線枠（表示手段）４及びケース１の先端部１ｂに装着された照明装置５から構成されている。照明装置５は、リモコンＲのケース１内に内蔵されたアルカリ乾電池５ａ、５ｂ、点灯スイッチ５ｃ、フラッシュライト５ｄ及びリード線５ｅからなっている。
【００２１】
図２は、リモコンＲのＡ部拡大図であり、図示するように、電源スイッチ２及び操作キー（ボタン）３は、蓄光材顔料を含有し、また直線枠４は、蓄光材塗料が塗布されており、昼間の太陽光や蛍光灯等からの光エネルギーを吸収して、蓄えたエネルギーをゆっくりと光として放出するので、照明具が消された暗闇の室内等において長時間発光し、リモコンＲの存在場所を明示すると共に、電源スイッチ２及び操作キー（ボタン）３を操作して、照明具を点灯することなくテレビを楽しむことができる。また図２に示す、操作キー（ボタン）３のチャンネル１、４、５、９等他の数字を蓄光材塗料で表示することもできる。さらに、図１における点灯スイッチ５ｃは、蓄光材顔料を含有した硬質樹脂材とすることができ、ＯＮ及びＯＦＦの文字を蓄光材塗料で表示することができる。
【００２２】
図３は、リモコンＲの裏面部１ｃを示している。リモコンＲの裏面１ｃの周縁部には、蓄光材塗料入りの直線枠４が設けられている。また直線枠４が発光することにより、リモコンが裏返されて置かれた暗闇の中でも直ちに探し出すことができる。なおアルカリ乾電池５ａ、５ｂに替えて、充電して繰り返し使用が可能な充電池とすることもできる。１ｅは、アルカリ乾電池５ａ、５ｂを収納又は取り出すための蓋体である。
【００２３】
本考案は、上記の実施形態のものに必ずしも限定されるものではなく、本考案の技術的範囲内において、種々の変更を加えることが可能である。例えば、リモコンＲの表面１ａ及び裏面１ｃの周縁部に塗布された直線枠４を破線又は曲線とすることもできる。
【図面の簡単な説明】
【００２４】
【図１】は、本考案に係る、テレビ用のリモコンＲの斜視図である。
【図２】は、図１におけるＡ部の拡大正面図である。
【図３】は、図１に示すリモコンＲの裏面図である。
【符号の説明】
【００２５】
Ｒ                      リモコン
１                      ケース
２                      電源スイッチ
３                      操作キー（ボタン）
４                      直線枠（表示手段）
５                      照明装置
１ａ                    ケース１の表面
１ｂ                    ケース先端部
１ｃ                    裏面部
５ａ、５ｂ              アルカリ乾電池                    
５ｃ                    点灯スイッチ
【図１】
0003148891.tif 000003
【図２】
0003148891.tif 000004
【図３】
0003148891.tif 000005